(57)【要約】  本開示の様々な実施形態は、時間領域リソース割り当ての指示情報を使用するための方法を提供するものである。この方法は、端末デバイスによって、ネットワークノードから時間領域リソース割り当ての指示情報を受信することを含む。指示情報の少なくとも一部分が、時間領域リソース割り当てと異なる通信設定を少なくとも一部示すことを許容される。この方法は、指示情報に少なくとも一部基づいて端末デバイスに関する通信設定を決定することをさらに含む。【選択図】図３
2021519016.tif 000002
【特許請求の範囲】
【請求項１】
端末デバイスにおいて実施される方法（３００）であって、
ネットワークノードから時間領域リソース割り当ての指示情報を受信すること（３０２）であって、前記指示情報の少なくとも一部分が、前記時間領域リソース割り当てと異なる通信設定を少なくとも一部示すことを許容される、指示情報を受信すること（３０２）と、
前記指示情報に少なくとも一部基づいて前記端末デバイスに関する前記通信設定を決定すること（３０４）とを含む方法。
【請求項２】
前記通信設定が同期信号のスケジューリング設定を含む、請求項１に記載の方法。
【請求項３】
前記指示情報の少なくとも一部分が前記通信設定を少なくとも一部示すために保存される、請求項２に記載の方法。
【請求項４】
前記同期信号のスケジューリング設定が、
１つまたは複数の同期信号ブロックのグループであって、前記グループの各々において、１つまたは複数の同期信号ブロックが前記ネットワークノードから前記端末デバイスに送信される、１つまたは複数の同期信号ブロックのグループと、
前記ネットワークノードから前記端末デバイスに送信される１つまたは複数の同期信号ブロックと、
同期信号バーストセットの周期性とのうち少なくとも１つを示す、請求項３に記載の方法。
【請求項５】
前記指示情報の前記少なくとも一部分が前記通信設定および前記時間領域リソース割り当てを示すために使用される、請求項１に記載の方法。
【請求項６】
前記通信設定が、前記ネットワークノードから前記端末デバイスに送信されない１つまたは複数の同期信号ブロックを示す、請求項１に記載の方法。
【請求項７】
前記時間領域リソース割り当てが、システム情報に関する１つまたは複数の制御リソースセットとオーバラップするチャネルに適用され、前記オーバラップされる、システム情報に関する１つまたは複数の制御リソースセットが、１つまたは複数の同期信号ブロックに関連づけられる、請求項１に記載の方法。
【請求項８】
前記指示情報がダウンリンク制御情報の一部分として受信される、請求項１から７のいずれか一項に記載の方法。
【請求項９】
前記指示情報の少なくとも一部分が、前記ダウンリンク制御情報の時間領域リソース割り当てフィールドに１つまたは複数のビットを含む、請求項８に記載の方法。
【請求項１０】
前記通信設定が、前記指示情報の少なくとも一部分および前記ダウンリンク制御情報の１つまたは複数の所定のインジケータによって示される、請求項８または９に記載の方法。
【請求項１１】
端末デバイスに実装される装置（６００）であって、
１つまたは複数のプロセッサ（６０１）と、
コンピュータプログラムコード（６０３）を含む１つまたは複数のメモリ（６０２）とを備え、
前記１つまたは複数のメモリ（６０２）および前記コンピュータプログラムコード（６０３）が、前記１つまたは複数のプロセッサ（６０１）を用いて、前記装置（６００）に、少なくとも、
ネットワークノードから時間領域リソース割り当ての指示情報を受信することであって、前記指示情報の少なくとも一部分が、前記時間領域リソース割り当てと異なる通信設定を少なくとも一部示すことを許容される、指示情報を受信することと、
前記指示情報に少なくとも一部基づいて前記端末デバイスに関する前記通信設定を決定することとを行わせるように設定されている、装置。
【請求項１２】
前記１つまたは複数のメモリおよび前記コンピュータプログラムコードが、前記１つまたは複数のプロセッサを用いて、前記装置に、請求項２から１０のいずれか一項に記載の方法を遂行させるように設定されている、請求項１１に記載の装置。
【請求項１３】
ネットワークノードにおいて実施される方法（５００）であって、
端末デバイスに対する時間領域リソース割り当ての指示情報を決定すること（５０２）であって、前記指示情報の少なくとも一部分が、前記時間領域リソース割り当てと異なる通信設定を少なくとも一部示すことを許容される、指示情報を決定すること（５０２）と、
前記指示情報を前記端末デバイスに送信すること（５０４）とを含む方法。
【請求項１４】
前記通信設定が同期信号のスケジューリング設定を含む、請求項１３に記載の方法。
【請求項１５】
前記指示情報の少なくとも一部分が前記通信設定を少なくとも一部示すために保存される、請求項１４に記載の方法。
【請求項１６】
前記同期信号のスケジューリング設定が、
１つまたは複数の同期信号ブロックのグループであって、前記グループの各々において、１つまたは複数の同期信号ブロックが前記ネットワークノードから前記端末デバイスに送信される、１つまたは複数の同期信号ブロックのグループと、
前記ネットワークノードから前記端末デバイスに送信される１つまたは複数の同期信号ブロックと、
同期信号バーストセットの周期性とのうち少なくとも１つを示す、請求項１５に記載の方法。
【請求項１７】
前記指示情報の前記少なくとも一部分が前記通信設定および前記時間領域リソース割り当てを示すために使用される、請求項１３に記載の方法。
【請求項１８】
前記通信設定が、前記ネットワークノードから前記端末デバイスに送信されない１つまたは複数の同期信号ブロックを示す、請求項１３に記載の方法。
【請求項１９】
前記時間領域リソース割り当てが、システム情報に関する１つまたは複数の制御リソースセットとオーバラップするチャネルに適用され、前記オーバラップされる、システム情報に関する１つまたは複数の制御リソースセットが、１つまたは複数の同期信号ブロックに関連づけられる、請求項１３に記載の方法。
【請求項２０】
前記指示情報がダウンリンク制御情報の一部分として送信される、請求項１３から１９のいずれか一項に記載の方法。
【請求項２１】
前記指示情報の前記少なくとも一部分が、前記ダウンリンク制御情報の時間領域リソース割り当てフィールドに１つまたは複数のビットを含む、請求項２０に記載の方法。
【請求項２２】
前記通信設定が、前記指示情報の前記少なくとも一部分および前記ダウンリンク制御情報の１つまたは複数の所定のインジケータによって示される、請求項２０または２１に記載の方法。
【請求項２３】
ネットワークノードに実装される装置（６００）であって、
１つまたは複数のプロセッサ（６０１）と、
コンピュータプログラムコード（６０３）を含む１つまたは複数のメモリ（６０２）とを備え、前記１つまたは複数のメモリ（６０２）および前記コンピュータプログラムコード（６０３）が、前記１つまたは複数のプロセッサ（６０１）を用いて、前記装置（６００）に、少なくとも、
端末デバイスに対する時間領域リソース割り当ての指示情報を決定することであって、前記指示情報の少なくとも一部分が、前記時間領域リソース割り当てと異なる通信設定を少なくとも一部示すことを許容される、指示情報を決定することと、
前記指示情報を前記端末デバイスに送信することとを行わせるように設定されている、装置。
【請求項２４】
前記１つまたは複数のメモリおよび前記コンピュータプログラムコードが、前記１つまたは複数のプロセッサを用いて、前記装置に、請求項１４から２２のいずれか一項に記載の方法を遂行させるように設定されている、請求項２３に記載の装置。
【請求項２５】
コンピュータとともに使用するコンピュータプログラムコード（６０３）を組み入れたコンピュータ可読媒体であって、前記コンピュータプログラムコード（６０３）が、請求項１から１０のいずれか一項に記載の方法を遂行するためのコードを含む、コンピュータ可読媒体。
【請求項２６】
コンピュータとともに使用するコンピュータプログラムコード（６０３）を組み入れたコンピュータ可読媒体であって、前記コンピュータプログラムコード（６０３）が、請求項１３から２２のいずれか一項に記載の方法を遂行するためのコードを含む、コンピュータ可読媒体。
【請求項２７】
端末デバイスに実装される装置（７００）であって、
ネットワークノードから時間領域リソース割り当ての指示情報を受信するように設定された受信ユニット（７０１）であって、前記指示情報の少なくとも一部分が、前記時間領域リソース割り当てと異なる通信設定を少なくとも一部示すことを許容される、受信ユニット（７０１）と、
前記指示情報に少なくとも一部基づいて前記端末デバイスに関する前記通信設定を決定するように設定された決定ユニット（７０２）とを備える装置。
【請求項２８】
ネットワークノードに実装される装置（８００）であって、
端末デバイス向けの時間領域リソース割り当ての指示情報を決定するように設定された決定ユニット（８０１）であって、前記指示情報の少なくとも一部分が、前記時間領域リソース割り当てと異なる通信設定を少なくとも一部示すことを許容される、決定ユニット（８０１）と、
前記指示情報を前記端末デバイスに送信するように設定された送信ユニット（８０２）とを備える装置。
【請求項２９】
端末デバイスにおいて実施される方法であって、
ネットワークノードから時間領域リソース割り当ての指示情報を受信することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を受信することと、
前記指示情報に少なくとも一部基づいて前記端末デバイスに関する通信設定を決定することとを含む方法。
【請求項３０】
ネットワークノードにおいて実施される方法であって、
端末デバイスに対する時間領域リソース割り当ての指示情報を決定することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を決定することと、
前記指示情報を前記端末デバイスに送信することとを含む方法。
【請求項３１】
端末デバイスに実装される装置（６００）であって、
１つまたは複数のプロセッサ（６０１）と、
コンピュータプログラムコード（６０３）を含む１つまたは複数のメモリ（６０２）とを備え、
前記１つまたは複数のメモリ（６０２）および前記コンピュータプログラムコード（６０３）が、前記１つまたは複数のプロセッサ（６０１）を用いて、前記装置（６００）に、少なくとも、
ネットワークノードから時間領域リソース割り当ての指示情報を受信することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を受信することと、
前記指示情報に少なくとも一部基づいて前記端末デバイスに関する通信設定を決定することとを行わせるように設定されている、装置。
【請求項３２】
ネットワークノードに実装される装置（６００）であって、
１つまたは複数のプロセッサ（６０１）と、
コンピュータプログラムコード（６０３）を含む１つまたは複数のメモリ（６０２）とを備え、
前記１つまたは複数のメモリ（６０２）および前記コンピュータプログラムコード（６０３）が、前記１つまたは複数のプロセッサ（６０１）を用いて、前記装置（６００）に、少なくとも、
端末デバイスに対する時間領域リソース割り当ての指示情報を決定することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を決定することと、
前記指示情報を前記端末デバイスに送信することとを行わせるように設定されている、装置。
【請求項３３】
コンピュータとともに使用するコンピュータプログラムコード（６０３）を組み入れたコンピュータ可読媒体であって、前記コンピュータプログラムコード（６０３）が、請求項２９または３０に記載の方法を遂行するためのコードを含む、コンピュータ可読媒体。
【発明の詳細な説明】
【技術分野】
【０００１】
本開示は一般に通信ネットワークに関し、より具体的には通信ネットワークにおける制御情報の使用法に関するものである。
【背景技術】
【０００２】
この段落は、本開示のより良い理解を助長し得る態様を紹介する。それゆえに、この段落の記述はこの観点から読み取られるべきであり、従来技術に含まれるものと含まれないものとに関する承認として理解されるべきではない。
【０００３】
通信サービスプロバイダおよびネットワークオペレータは、たとえば圧倒的なネットワークサービスおよび性能を提供することによって消費者に価値および便宜を届けるという課題に絶えず直面している。ネットワーキングおよび通信技術の急速な発展に伴って、端末デバイスは、複数のタイプのサービスを取得するためにＬｏｎｇ  Ｔｅｒｍ  Ｅｖｏｌｕｔｉｏｎ（ＬＴＥ）／第４世代（４Ｇ）ネットワークまたは新無線（ＮＲ）／第５世代（５Ｇ）ネットワークなどの種々の無線通信ネットワークに接続され得る。端末デバイスは、ネットワークに接続するために、ネットワーク同期を獲得して、必須のシステム情報（ＳＩ）を取得しなければならないことがある。たとえば、端末デバイスは、マスタ情報ブロック（ＭＩＢ）の中のＳＩおよび残りの最小システム情報（ＲＭＳＩ）を得ることができる。ネットワークに対する端末デバイスの動作周波数を調節して、ネットワークから受信する信号の適切なタイミングを見いだすために、同期信号が使用され得る。無線リソースならびにＳＩおよび同期信号の送信設定が、制御情報によってネットワークから端末デバイスに通知されてよい。
【発明の概要】
【０００４】
この概要は、発明を実施するための形態において以下でさらに説明される簡素化した形態の概念の選択を導入するために提供されるものである。この概要は、特許請求される主題の主な特徴または基本的な特徴を識別することや、特許請求される主題の範囲を限定するように使用されることを意図するものではない。
【０００５】
ＮＲ／５Ｇネットワークなどの無線通信ネットワークは、融通性のあるネットワーク設定をサポートし得る。時間領域および周波数領域における無線リソースの利用を促進するために、ネットワークから端末デバイスへの種々の信号送信用に様々な多重化タイプが利用可能であり得る。たとえば、同期信号を用いるＲＭＳＩ制御リソースセット（ＣＯＲＥＳＥＴ）と物理ブロードキャストチャネルブロック（ＳＳ／ＰＢＣＨブロック、略してＳＳＢとしても知られている）の間に、３つの多重化タイプがあり得る。多重化信号のリソース設定が互いに関連しているとき、ユーザ機器（ＵＥ）などの端末デバイスは、一方のリソース設定を他方に応じて決定することができる。この場合、端末デバイスにとって、リソース設定を示すためのネットワークからのいくつかの制御情報は冗長または無用なものになり得る。したがって、通信ネットワークにおけるリソース設定に関する制御情報を、より効率的に利用しなければならないであろう。
【０００６】
本開示の様々な実施形態は、通信ネットワークのシステム性能およびエネルギー効率を改善するために、通信ネットワークにおける制御情報の効果的な使用法の解決策を提案することにより、端末デバイスが、時間領域リソース割り当ての指示情報などのいくつかの制御情報を利用することによって、ネットワークノードからより有効な情報を取得することを可能にするものである。
【０００７】
本開示の第１の態様によれば、端末デバイスにおいて実施される方法が提供される。この方法は、ネットワークノードから時間領域リソース割り当ての指示情報を受信することを含む。いくつかの例示的実施形態によれば、指示情報の少なくとも一部分は、時間領域リソース割り当てと異なる通信設定を少なくとも一部示すことを許容され得る。この方法は、指示情報に少なくとも一部基づいて端末デバイスに関する通信設定を決定することをさらに含む。
【０００８】
本開示の第２の態様によれば、端末デバイスに実装される装置が提供される。この装置は、コンピュータプログラムコードを含む１つまたは複数のプロセッサおよび１つまたは複数のメモリを備える。１つまたは複数のメモリおよびコンピュータプログラムコードは、１つまたは複数のプロセッサを用いて、装置に、少なくとも本開示の第１の態様による方法の任意のステップを遂行させるように設定されている。
【０００９】
本開示の第３の態様によれば、コンピュータプログラムコードを組み入れたコンピュータ可読媒体が提供され、このコンピュータプログラムコードは、コンピュータ上で実行されると、コンピュータを本開示の第１の態様による方法の任意のステップを遂行させる。
【００１０】
本開示の第４の態様によれば、端末デバイスに実装される装置が提供される。この装置は受信ユニットおよび決定ユニットを備える。いくつかの例示的実施形態によれば、受信ユニットは、本開示の第１の態様による方法のうち少なくとも受信ステップを実施するように動作可能である。決定ユニットは、本開示の第１の態様による方法のうち少なくとも決定ステップを実施するように動作可能である。
【００１１】
本開示の第５の態様によれば、ネットワークノードにおいて実施される方法が提供される。この方法は、端末デバイスに対する時間領域リソース割り当ての指示情報を決定することを含む。いくつかの例示的実施形態によれば、指示情報の少なくとも一部分は、時間領域リソース割り当てと異なる通信設定を少なくとも一部示すことを許容され得る。この方法は、端末デバイスに指示情報を送信することをさらに含む。
【００１２】
本開示の第６の態様によれば、ネットワークノードに実装される装置が提供される。この装置は、コンピュータプログラムコードを含む１つまたは複数のプロセッサおよび１つまたは複数のメモリを備える。１つまたは複数のメモリおよびコンピュータプログラムコードは、１つまたは複数のプロセッサを用いて、装置に、少なくとも本開示の第５の態様による方法の任意のステップを遂行させるように設定されている。
【００１３】
本開示の第７の態様によれば、コンピュータプログラムコードを組み入れたコンピュータ可読媒体が提供され、このコンピュータプログラムコードは、コンピュータ上で実行されると、コンピュータを本開示の第５の態様による方法の任意のステップを遂行させる。
【００１４】
本開示の第８の態様によれば、ネットワークノードに実装される装置が提供される。この装置は決定ユニットおよび送信ユニットを備える。いくつかの例示的実施形態によれば、決定ユニットは、本開示の第５の態様による方法のうち少なくとも決定ステップを実施するように動作可能である。送信ユニットは、本開示の第５の態様による方法のうち少なくとも送信ステップを実施するように動作可能である。
【００１５】
例示的実施形態によれば、通信設定は同期信号のスケジューリング設定を含み得る。
【００１６】
例示的実施形態によれば、指示情報の少なくとも一部分が、通信設定を少なくとも一部示すために再利用または保存され得る。
【００１７】
例示的実施形態によれば、同期信号のスケジューリング設定は、１つまたは複数の同期信号ブロックのグループであって、グループの各々において、１つまたは複数の同期信号ブロックがネットワークノードから端末デバイスに送信される、１つまたは複数の同期信号ブロックのグループと、ネットワークノードから端末デバイスに送信される１つまたは複数の同期信号ブロックと、同期信号バーストセットの周期性とのうち少なくとも１つを示し得る。
【００１８】
例示的実施形態によれば、指示情報の少なくとも一部分が、通信設定および時間領域リソース割り当てを示すために使用され得る。
【００１９】
例示的実施形態によれば、同期信号スケジューリング設定などの通信設定が、ネットワークノードから端末デバイスに送信されない１つまたは複数の同期信号ブロックを示してよい。
【００２０】
例示的実施形態によれば、システム情報に関する１つまたは複数の制御リソースセットとオーバラップするチャネルに、時間領域リソース割り当てが適用され得る。システム情報に関する、オーバラップされる１つまたは複数の制御リソースセットは、送信されない同期信号ブロックなどの１つまたは複数の同期信号ブロックに関連づけられてよい。
【００２１】
例示的実施形態によれば、指示情報はダウンリンク制御情報（ＤＣＩ）の一部分でよい。例示的実施形態によれば、ＤＣＩの一部分としての指示情報は、システム情報用にセットされた制御リソースの中のチャネルによって搬送され得る。
【００２２】
例示的実施形態によれば、指示情報の少なくとも一部分は、ＤＣＩの時間領域リソース割り当てフィールドに１つまたは複数のビットを含み得る。
【００２３】
例示的実施形態によれば、通信設定は、指示情報の少なくとも一部分およびＤＣＩの中の１つまたは複数の所定のインジケータによって示され得る。
【００２４】
本開示の第９の態様によれば、ホストコンピュータ、基地局およびＵＥを含み得る通信システムにおいて実施される方法が提供される。この方法は、ホストコンピュータにおいてユーザデータを供給することを含み得る。任意選択で、この方法は、ホストコンピュータにおいて、本開示の第５の態様による方法の任意のステップを遂行し得る基地局を備えるセルラーネットワークを通じてＵＥにユーザデータを搬送する送信を開始することを含み得る。
【００２５】
本開示の第１０の態様によれば、ホストコンピュータを含む通信システムが提供される。ホストコンピュータは、ユーザデータを供給するように設定された処理サーキットリと、ユーザデータを、ＵＥに送信するために、セルラーネットワークに転送するように設定された通信インターフェースとを備え得る。セルラーネットワークは、無線インターフェースと処理サーキットリとを有する基地局を備え得る。基地局の処理サーキットリは、本開示の第５の態様による方法の任意のステップを遂行するように設定され得る。
【００２６】
本開示の第１１の態様によれば、ホストコンピュータ、基地局およびＵＥを含み得る通信システムにおいて実施される方法が提供される。この方法は、ホストコンピュータにおいてユーザデータを供給することを含み得る。任意選択で、この方法は、ホストコンピュータにおいて、基地局を備えるセルラーネットワークを通じてＵＥにユーザデータを搬送する送信を開始することを含み得る。ＵＥは、本開示の第１の態様による方法の任意のステップを遂行し得る。
【００２７】
本開示の第１２の態様によれば、ホストコンピュータを含む通信システムが提供される。ホストコンピュータは、ユーザデータを供給するように設定された処理サーキットリと、ユーザデータを、ＵＥに送信するために、セルラーネットワークに転送するように設定された通信インターフェースとを備え得る。ＵＥは無線インターフェースおよび処理サーキットリを備え得る。ＵＥの処理サーキットリは、本開示の第１の態様による方法の任意のステップを遂行するように設定され得る。
【００２８】
本開示の第１３の態様によれば、ホストコンピュータ、基地局およびＵＥを含み得る通信システムにおいて実施される方法が提供される。この方法は、本開示の第１の態様による方法の任意のステップを遂行し得るＵＥから基地局に送信されたユーザデータを、ホストコンピュータにおいて受信することを含み得る。
【００２９】
本開示の第１４の態様によれば、ホストコンピュータを含む通信システムが提供される。ホストコンピュータは、ＵＥから基地局への送信に由来するユーザデータを受信するように設定された通信インターフェースを備え得る。ＵＥは無線インターフェースおよび処理サーキットリを備え得る。ＵＥの処理サーキットリは、本開示の第１の態様による方法の任意のステップを遂行するように設定され得る。
【００３０】
本開示の第１５の態様によれば、ホストコンピュータ、基地局およびＵＥを含み得る通信システムにおいて実施される方法が提供される。この方法は、基地局がＵＥから受信した送信に由来するユーザデータを、ホストコンピュータにおいて基地局から受信することを含み得る。基地局は、本開示の第５の態様による方法の任意のステップを遂行し得る。
【００３１】
本開示の第１６の態様によれば、ホストコンピュータを含み得る通信システムが提供される。ホストコンピュータは、ＵＥから基地局への送信に由来するユーザデータを受信するように設定された通信インターフェースを備え得る。基地局は無線インターフェースおよび処理サーキットリを備え得る。基地局の処理サーキットリは、本開示の第５の態様による方法の任意のステップを遂行するように設定され得る。
【００３２】
本開示の第１７の態様によれば、端末デバイスにおいて実施される方法が提供される。この方法は、ネットワークノードから時間領域リソース割り当ての指示情報を受信することであって、指示情報の少なくとも一部分は、時間領域リソース割り当てと異なる通信設定を少なくとも一部示すこと、または時間領域リソース割り当てと他の情報の両方に関する通信設定を示すことを許容される、指示情報を受信することと、指示情報に少なくとも一部基づいて端末デバイスに関する通信設定を決定することとを含む。
【００３３】
本開示の第１８の態様によれば、ネットワークノードにおいて実施される方法が提供される。この方法は、端末デバイスに対する時間領域リソース割り当ての指示情報を決定することであって、指示情報の少なくとも一部分は、時間領域リソース割り当てと異なる通信設定を少なくとも一部示すこと、または時間領域リソース割り当てと他の情報の両方に関する通信設定を示すことを許容される、指示情報を決定することと、指示情報を端末デバイスに送信することとを含む。
【００３４】
本開示自体、使用法の望ましいモードおよびさらなる目的は、実施形態の以下の詳細な説明を参照して添付図面とともに読み取れば最も良く理解される。
【図面の簡単な説明】
【００３５】
【図１Ａ】本開示のいくつかの実施形態による例示的ＳＳＢのマッピングを図示する図である。
【図１Ｂ】本開示のいくつかの実施形態による例示的ＳＳバーストセットのマッピングを図示する図である。
【図２】本開示のいくつかの実施形態による、ＳＳＢおよびＲＭＳＩ  ＣＯＲＥＳＥＴの例示的多重化タイプを図示する図である。
【図３】本開示のいくつかの実施形態による方法を図示する流れ図である。
【図４Ａ】本開示のいくつかの実施形態による時間領域リソース割り当てビットの再利用の一例を図示する図である。
【図４Ｂ】本開示のいくつかの実施形態による時間領域リソース割り当てビットの再利用の別の例を図示する図である。
【図５】本開示のいくつかの実施形態による別の方法を図示する流れ図である。
【図６】本開示のいくつかの実施形態による装置を図示するブロック図である。
【図７】本開示のいくつかの実施形態による別の装置を図示するブロック図である。
【図８】本開示のいくつかの実施形態によるもう１つの装置を図示するブロック図である。
【図９】本開示のいくつかの実施形態による、中間ネットワークを介してホストコンピュータに接続された電気通信ネットワークを図示するブロック図である。
【図１０】本開示のいくつかの実施形態による、部分的無線接続を通じて基地局を介してＵＥと通信するホストコンピュータを図示するブロック図である。
【図１１】本開示の一実施形態による、通信システムにおいて実施される方法を図示する流れ図である。
【図１２】本開示の一実施形態による、通信システムにおいて実施される方法を図示する流れ図である。
【図１３】本開示の一実施形態による、通信システムにおいて実施される方法を図示する流れ図である。
【図１４】本開示の一実施形態による、通信システムにおいて実施される方法を図示する流れ図である。
【発明を実施するための形態】
【００３６】
本開示の実施形態が、添付図面を参照しながら詳細に説明される。これらの実施形態は、本開示の範囲に対するいかなる制限も示唆するものではなく、当業者が本開示をより良く理解して実施することを可能にするためにのみ議論されることを理解されたい。本明細書の全体にわたって、特徴、利点、または類似の言語に対する参照は、本開示を用いて実現され得る特徴および利点のすべてが、本開示のいずれかの単一の実施形態の中にあるべきであること、またはあることを意味するわけではない。むしろ、特徴および利点を指す言語は、一実施形態に関連して説明された特定の特徴、利点、または特性が、本開示の少なくとも１つの実施形態に含まれることを意味するように理解される。その上、本開示の説明された特徴、利点および特性は、１つまたは複数の実施形態において任意の適切なやり方で組み合わされ得る。当業者なら、特別な実施形態の特定の特徴または利点のうち１つまたは複数がなくとも、本開示が実施され得ることを認識するであろう。他の事例では、ある特定の実施形態では、本開示のすべての実施形態にあるとは限らない追加の特徴および利点が認められる可能性がある。
【００３７】
本明細書で使用されるように、「通信ネットワーク」という用語は、新無線（ＮＲ）、Ｌｏｎｇ  Ｔｅｒｍ  Ｅｖｏｌｕｔｉｏｎ（ＬＴＥ）、ＬＴＥ−Ａｄｖａｎｃｅｄ、広帯域符号分割多元接続（ＷＣＤＭＡ）、高速パケットアクセス（ＨＳＰＡ）などの何らかの適切な通信規格に準拠するネットワークを指す。その上、通信ネットワークにおける端末デバイスとネットワークノードの間の通信は、それだけではないが、第１世代（１Ｇ）、第２世代（２Ｇ）、２．５Ｇ、２．７５Ｇ、第３世代（３Ｇ）、４Ｇ、４．５Ｇ、５Ｇの通信プロトコル、および／または現在既知の、もしくは今後開発される、その他のプロトコルを含む任意の適切な世代の通信プロトコルによって遂行され得る。
【００３８】
「ネットワークノード」という用語は通信ネットワークにおけるネットワークデバイスを指すものであり、端末デバイスは、ネットワークノードを介してネットワークにアクセスし、サービスを受信する。ネットワークノードは、無線通信ネットワークにおける、基地局（ＢＳ）、アクセスポイント（ＡＰ）、マルチセル／マルチキャスト協調エンティティ（ＭＣＥ）、コントローラまたは任意の他の適切なデバイスを指し得る。ＢＳは、たとえばノードＢ（ＮｏｄｅＢすなわちＮＢ）、エボルブドＮｏｄｅＢ（ｅＮｏｄｅＢすなわちｅＮＢ）、次世代ＮｏｄｅＢ（ｇＮｏｄｅＢすなわちｇＮＢ）、リモートラジオユニット（ＲＲＵ）、無線ヘッダ（ＲＨ）、リモート無線ヘッド（ＲＲＨ）、中継器、フェムトノード、ピコノードなどの低電力ノードでよい。
【００３９】
ネットワークノードのまたさらなる例は、ＭＳＲ  ＢＳなどのマルチスタンダード無線（ＭＳＲ）の無線機器、無線ネットワークコントローラ（ＲＮＣ）などのネットワークコントローラまたは基地局コントローラ（ＢＳＣ）、ベーストランシーバ局（ＢＴＳ）、送信ポイント、送信ノード、測位ノードおよび／または同類のものを備える。しかしながら、より一般的には、ネットワークノードは、端末デバイス向けの無線通信ネットワークへのアクセス、または無線通信ネットワークにアクセスした端末デバイス向けのいくつかのサービスを、使用可能にするように、かつ／または提供するように、できる、設定された、構成された、かつ／または動作可能な、任意の適切なデバイス（またはデバイスのグループ）を表し得る。
【００４０】
「端末デバイス」という用語は、通信ネットワークにアクセスしてサービスを受信することができる任意の終端デバイスを指す。限定しない例として、端末デバイスは、モバイル端末、ユーザ機器（ＵＥ）、または他の適切なデバイスを指し得る。ＵＥは、たとえば加入者ステーション、携帯用の加入者ステーション、移動ステーション（ＭＳ）またはアクセス端末（ＡＴ）でよい。端末デバイスは、それだけではないが、携帯型コンピュータ、デジタルカメラなどの画像取り込み端末デバイス、ゲーム端末デバイス、音楽の記憶および再生機器、携帯電話、セル式電話、スマートフォン、タブレット、ウェアラブルデバイス、携帯情報端末（ＰＤＡ）、車両および同類のものを含み得る。
【００４１】
もう１つの特定の例として、モノのインターネット（ＩｏＴ）のシナリオでは、端末デバイスはＩｏＴデバイスとも呼ばれ、監視、感知および／または測定などを遂行して、そのような監視、感知および／または測定などの結果を、別の端末デバイスおよび／またはネットワーク機器に送信するマシンまたは他のデバイスを表現し得る。端末デバイスは、この場合マシンツーマシン（Ｍ２Ｍ）デバイスであり得、第３世代パートナーシッププロジェクト（３ＧＰＰ）の状況ではマシン型通信（ＭＴＣ）デバイスと称され得る。
【００４２】
特別な一例として、端末デバイスは、３ＧＰＰの狭帯域のモノのインターネット（ＮＢ−ＩｏＴ）規格を実施するＵＥでよい。そのようなマシンまたはデバイスの特別な例には、センサ、電力計などの計量デバイス、産業機械、または、たとえば冷蔵庫、テレビ、腕時計などの個人用装着品など、家庭器具もしくは個人用器具である。他のシナリオでは、端末デバイスは、車両または他の機器、たとえば、それ自体の稼働状況の監視、感知および／または報告など、あるいはそれ自体の動作に関連した他の機能が可能な医療機器を表現し得る。
【００４３】
本明細書で使用されるように、「第１の」、「第２の」などの用語は別々の要素を指す。単数形「１つの（ａ）」および「１つの（ａｎ）」は、文脈がそうでないことを明白に示さない限り複数形も含むことが意図されている。本明細書で使用されるように、「備える（ｃｏｍｐｒｉｓｅｓ）」、「備える（ｃｏｍｐｒｉｓｉｎｇ）」、「有する（ｈａｓ）」、「有する（ｈａｖｉｎｇ）」、「含む（ｉｎｃｌｕｄｅｓ）」および／または「含む（ｉｎｃｌｕｄｉｎｇ）」といった用語は、明示された特徴、要素、および／または構成要素および同類のものの存在を規定するが、１つまたは複数の他の特徴、要素、構成要素および／またはこれらの組合せの存在や付加を排除するわけではない。「〜に基づいて」という用語は、「少なくとも一部〜に基づいて」と読み取られるべきである。「１つの実施形態」および「一実施形態」という用語は、「少なくとも１つの実施形態」と読み取られるべきである。「別の実施形態」という用語は、「少なくとも１つの他の実施形態」と読み取られるべきである。以下には明示的な他の定義や暗示的な他の定義が含まれている可能性がある。
【００４４】
無線通信ネットワークは、音声、映像、データ、メッセージング、および一斉送信などの様々な電気通信サービスを提供するために広く配備されている。以前に説明されたように、端末デバイスは、無線通信ネットワークに接続するために、ネットワーク同期を獲得して、ＲＭＳＩなどの必須のＳＩを取得しなければならないことがある。ＮＲなどの無線通信ネットワークでは、同期およびアクセスのプロシージャは、たとえば１次同期信号（ＰＳＳ）および２次同期信号（ＳＳＳ）といったいくつかの信号を包含し得る。
【００４５】
ＰＳＳは、たとえば数十ｐｐｍまでの高い初期周波数誤差の存在下でネットワーク検知を可能にし得る。ＳＳＳは、セル識別子（ＩＤ）などの基本的なネットワーク情報をもたらす一方で、より正確な周波数調整およびチャネル推定を可能にし得る。
【００４６】
物理ブロードキャストチャネル（ＰＢＣＨ）は、ランダムアクセスのための最小システム情報のサブセット、およびＲＭＳＩにおける残りの最小システム情報を取り込むための設定をもたらし得る。ＰＢＣＨは、たとえば、セルから送信されたビームの間のタイミングを分離するためのセルの内部のタイミング情報ももたらし得る。もちろん、ＰＢＣＨに収まる情報量はサイズを小さく保つために高度に限定されている。その上、ＰＢＣＨを適切に受信するために、復調用参照信号（ＤＭＲＳ）がＰＢＣＨリソースと交互配置され得る。
【００４７】
ＳＳ／ＰＢＣＨブロックまたはＳＳＢは、上記の信号（ＰＳＳ、ＳＳＳおよびＤＭＲＳなど）およびＰＢＣＨを含み得る。たとえば、ＳＳＢは、周波数範囲に依拠して、１５ｋＨｚ、３０ｋＨｚ、１２０ｋＨｚまたは２４０ｋＨｚのサブキャリア間隔（ＳＣＳ）を有し得る。
【００４８】
図１Ａは、本開示のいくつかの実施形態による例示的ＳＳＢのマッピングを図示する図である。図１Ａでは、番号を付けられたそれぞれの小さいボックスは直交周波数分割多重（ＯＦＤＭ）シンボルを表現し、網掛けのシンボルはＳＳＢが送信される可能性がある候補ＳＳＢの位置のマッピングを表す。図１Ａに図示されるように、１つの候補ＳＳＢの位置が４つのＯＦＤＭシンボルに対応し得る。図１Ａは、１５ｋＨｚのＳＣＳ、３０ｋＨｚのＳＣＳ（パターン１およびパターン２を含む）および１２０ｋＨｚのＳＣＳの事例に関する２つのスロットの内部、および２４０ｋＨｚのＳＣＳの事例に関する４つのスロットの内部のいくつかの例示的候補ＳＳＢの位置を示すものである。
【００４９】
図１Ｂは、本開示のいくつかの実施形態による例示的ＳＳバーストセットのマッピングを図示する図である。図１Ｂでは、各ボックスはスロットを表現し、各行のスロットは５ミリ秒のハーフフレームを構成する。例示的実施形態によれば、複数の（一般的には時間的にかなり近い）ＳＳＢがＳＳバーストセットを構成する。図１Ｂに図示されるように、Ｌ＝４（ＬはＳＳバーストセットにおけるＳＳＢの最大数である）の１５ｋＨｚのＳＣＳについては、最初の２つのスロットがＳＳＢを（たとえば各スロットが２つのＳＳＢを）送信するために使用されてよく、残りの３つのスロットはＳＳＢ送信に使用されなくてよい。同様に、Ｌ＝８の１５ｋＨｚのＳＣＳについては、最初の４つのスロットはＳＳＢを送信するために使用されてよく、最後のスロットはＳＳＢ送信に使用されなくてよい。
【００５０】
図１Ｂは、たとえば３０ｋＨｚのＳＣＳ、１２０ｋＨｚのＳＣＳ、２４０ｋＨｚのＳＣＳといった他の可能なＳＣＳ数秘学または値に関する、５ミリ秒以内のスロットにマッピングするＳＳバーストセットも示す。「数秘学」という用語は、ＳＣＳ、サイクリックプレフィックス（ＣＰ）の長さすなわち期間、ＯＦＤＭシンボルの長さすなわち期間、タイムスロットの中に含有されるシンボルの数、タイムスロット期間および／または同類のものなど、信号送信のための無線リソースに関連したいくつかのパラメータを指すために使用され得る。
【００５１】
例示的実施形態によれば、ＳＳバーストセットは、ＲＭＳＩにおいて設定された周期性を用いて一定期間ごとに送信されてよい。たとえば、初期のアクセス用には２０ミリ秒のＳＳバーストセットの周期性が想定され得る。ＵＥは、ＳＳバーストセットにおけるＳＳＢを使用することにより、ダウンリンクタイミング、周波数オフセットおよび／または同類のものを決定して、ＰＢＣＨからいくつかの基本システム情報を獲得することができる。ＵＥは、ダウンリンク同期を取得したとき、どのスロットにおいてＳＳＢ送信を予期するかを知り得る。したがって、サブフレームレベルの同期を導出するために、ＳＳバーストセットにおけるＳＳＢのロケーションをＵＥに与える必要があり得る。
【００５２】
ネットワークに接続するためには、ネットワーク同期に加えて、ＲＭＳＩなどのいくつかのＳＩもＵＥにとって重要になり得る。ＲＭＳＩは、ＮＲのＰＢＣＨによって設定されたＣＯＲＥＳＥＴの物理ダウンリンク制御チャネル（ＰＤＣＣＨ）によってスケジューリングされる、物理ダウンリンク共有チャネル（ＰＤＳＣＨ）で搬送され得る。ＲＭＳＩは、たとえば実際に送信されるＳＳＢを示すビットマップといった、最小システム情報の残りのサブセットを含有し得る。
【００５３】
ＰＢＣＨによって設定されたＣＯＲＥＳＥＴは、他のシステム情報（ＯＳＩ）、ページング、ランダムアクセス応答（ＲＡＲ）、および／または同類のものにも使用され得る。例示的実施形態によれば、ＰＢＣＨによって設定されたＣＯＲＥＳＥＴは、周波数領域におけるリソースブロックの数
2021519016.tif 000003
および時間領域におけるＯＦＤＭシンボルの数
2021519016.tif 000004
から成り得る。たとえば、
2021519016.tif 000005
は２４、４８または９６でよく、
2021519016.tif 000006
は１、２または３でよい。
【００５４】
ＵＥは、１つのＳＳＢを検知した後に、ＰＢＣＨの中に存在している場合には、ＣＯＲＥＳＥＴ設定に少なくとも一部基づいて、可能なＰＤＣＣＨ候補の探索を試みてよい。例示的実施形態によれば、ＳＳＢとＰＢＣＨによって設定されたＣＯＲＥＳＥＴ（ＲＭＳＩ  ＣＯＲＥＳＥＴとしても知られている）との間に、いくつかの可能な多重化タイプがあり得る。
【００５５】
図２は、本開示のいくつかの実施形態による、ＳＳＢおよびＲＭＳＩ  ＣＯＲＥＳＥＴの例示的多重化タイプを図示する図である。図２に図示されるように、時間領域および／または周波数領域において、ＳＳＢおよびＲＭＳＩ  ＣＯＲＥＳＥＴに対して、３つの多重化タイプ（タイプ１、タイプ２およびタイプ３と表される）が適用可能であり得る。これらの多重化タイプの中で、タイプ１はサブ６ＧＨｚおよび／または６ＧＨｚ超の周波数帯域でサポートされ得るが、タイプ２およびタイプ３は６ＧＨｚ超の周波数帯域でのみサポートされる。
【００５６】
例示的実施形態によれば、それぞれの多重化タイプが、サポートされる数秘学の組合せのセット｛ＳＳＢ  ＳＣＳ，ＲＭＳＩ  ＳＣＳ｝を有し得る。たとえば、サブ６ＧＨｚ周波数帯域においてタイプ１によってサポートされる数秘学の組合せのセット｛ＳＳＢ  ＳＣＳ，ＲＭＳＩ  ＳＣＳ｝は、｛１５ｋＨｚ，１５ｋＨｚ｝、｛１５ｋＨｚ，３０ｋＨｚ｝、｛３０ｋＨｚ，１５ｋＨｚ｝および｛３０ｋＨｚ，３０ｋＨｚ｝を含み得、また、６ＧＨｚ超の周波数帯域においてタイプ１によってサポートされる数秘学の組合せのセット｛ＳＳＢ  ＳＣＳ，ＲＭＳＩ  ＳＣＳ｝は、｛１２０ｋＨｚ，６０ｋＨｚ｝、｛１２０ｋＨｚ，１２０ｋＨｚ｝、｛２４０ｋＨｚ，６０ｋＨｚ｝および｛２４０ｋＨｚ，１２０ｋＨｚ｝を含み得る。同様に、６ＧＨｚ超の周波数帯域においてタイプ２によってサポートされる数秘学の組合せのセット｛ＳＳＢ  ＳＣＳ，ＲＭＳＩ  ＳＣＳ｝は、｛１２０ｋＨｚ，６０ｋＨｚ｝および｛２４０ｋＨｚ，１２０ｋＨｚ｝を含み得、また、６ＧＨｚ超の周波数帯域においてタイプ３によってサポートされる数秘学の組合せのセット｛ＳＳＢ  ＳＣＳ，ＲＭＳＩ  ＳＣＳ｝は、｛１２０ｋＨｚ，１２０ｋＨｚ｝を含み得る。
【００５７】
いくつかの例示的実施形態によれば、Ｔｙｐｅ０−ＰＤＣＣＨの通常の探索空間（Ｃ−ＳＳ）は、ＲＭＳＩ／システム情報ブロック１（ＳＩＢ１）スケジューリングに使用される探索空間であり得る。Ｔｙｐｅ０−ＰＤＣＣＨ  Ｃ−ＳＳの設定は、３ＧＰＰ  ＴＳ  ３８．２１３の１３節に規定されている。加えて、タイプ１、タイプ２およびタイプ３について、いくつかのＰＤＣＣＨを監視する機会および関連する設定（監視の周期性、監視するウィンドウなど）も、３ＧＰＰ  ＴＳ  ３８．２１３に規定されている。
【００５８】
図２は、ＰＤＳＣＨの帯域幅と、このＰＤＳＣＨをスケジューリングするＰＤＣＣＨを含有しているＣＯＲＥＳＥＴの帯域幅の間の関係も示す。例示的実施形態によれば、初期のアクティブダウンリンク（ＤＬ）の帯域幅部分（ＢＷＰ）は、ＲＭＳＩ  ＣＯＲＥＳＥＴの周波数ロケーションおよび帯域幅、ならびにＲＭＳＩの数秘学として規定され得る。ＲＭＳＩを配送するＰＤＳＣＨは、初期のアクティブＤＬのＢＷＰの範囲内に制限され得る。ＵＥは、ダウンリンク制御情報（ＤＣＩ）から（時間領域および／または周波数領域のリソース割り当てなどの）特定のリソース設定を学習することができる。ＤＣＩは、ページング、ランダムアクセスなどのためにＲＭＳＩ／ＯＳＩをスケジューリングするように使用され得る。
【００５９】
例示的実施形態によれば、ＤＣＩのサイズはあらかじめ規定され得、すべてのＳＳＢおよびＲＭＳＩ  ＣＯＲＥＳＥＴの多重化タイプについて一定でよい。たとえば、ＤＣＩのフォーマットは、ＤＣＩフォーマット１＿０と同一のサイズでよい。ＰＢＣＨによって設定されたＣＯＲＥＳＥＴのＰＤＣＣＨによって搬送されるＤＣＩは、たとえば時間領域リソース割り当てを示す１つまたは複数のビットといった時間領域リソース割り当ての指示情報を含み得る。
【００６０】
ＳＳＢとＲＭＳＩ  ＣＯＲＥＳＥＴの間の異なる多重化タイプについては、時間領域リソース割り当てを示すビットの総数が異なり得る。ＰＤＳＣＨがタイプ２およびタイプ３の多重化のためにＳＳＢと時間整合されると想定される場合、時間領域リソース割り当てビットは不要になり得る。加えて、ＳＳＢとＲＭＳＩ  ＣＯＲＥＳＥＴの間の異なる多重化タイプのために、ＤＣＩの時間領域リソース割り当てビットの数に対する要件が異なる可能性がある。たとえば、タイプ２およびタイプ３を多重化する場合、ＲＭＳＩ  ＣＯＲＥＳＥＴのＰＤＣＣＨによって搬送されるＤＣＩの時間領域リソース割り当てビットの数は、タイプ１を多重化する場合よりも少ないはずである。他方では、多重化タイプ２およびタイプ３に関して、ＰＤＳＣＨが、関連するＳＳＢと時間整合するように常にスケジューリングされる場合には、時間領域リソース割り当ての融通性に対する直接的な制約となり得る。したがって、時間領域リソース割り当ての指示情報をより効率的に設定して利用するために効果的な解決策を導入することが望ましいであろう。
【００６１】
いくつかの例示的実施形態によって提案される解決策では、ネットワークノードは、端末デバイスに、時間領域リソース割り当ての指示情報を供給することができる。ＳＳＢとＲＭＳＩ  ＣＯＲＥＳＥＴの間の様々な多重化タイプのために、たとえば１つまたは複数のビットなどの指示情報が、ＲＭＳＩ  ＣＯＲＥＳＥＴのＰＤＣＣＨによって搬送されるＤＣＩの時間領域リソース割り当てフィールドに含有され得る。規定された多重化タイプ（たとえば多重化タイプ２および／またはタイプ３）については、時間領域リソース割り当てビットのいくつかまたはすべてが、時間領域リソース割り当ての指示とは別の目的のために再利用され得る。任意選択で、時間領域リソース割り当てビットの少なくとも一部分が、他の情報を示すためにも、ＲＭＳＩ  ＣＯＲＥＳＥＴのＰＤＣＣＨによって搬送されるＤＣＩの１つまたは複数の他のインジケータ（たとえば１つまたは複数の予約ビット／コードポイント、使用中の１つまたは複数のビット／コードポイントなど）とともに使用され得る。
【００６２】
いくつかの例示的実施形態によれば、提案された解決策により、スケジューリングされたＰＤＳＣＨが、ＲＭＳＩ  ＣＯＲＥＳＥＴとオーバラップするか、またはＲＭＳＩ  ＣＯＲＥＳＥＴの少なくとも一部分を占有することが可能になり得る。したがって、スケジューリングされたＰＤＳＣＨとオーバラップするＲＭＳＩ  ＣＯＲＥＳＥＴ（複数可）に関連した１つまたは複数のＳＳＢは送信されないと想定され得る。この場合、スケジューリングされたＰＤＳＣＨに関する時間領域リソース割り当ての指示情報は、スケジューリングされたＰＤＳＣＨの時間領域リソース割り当てを示すことに加えて、送信されない１つまたは複数のＳＳＢを示すためにも使用され得る。
【００６３】
このようにして情報設定の融通性が向上し得、端末デバイスは、ネットワークノードから、より役に立つ情報をより迅速に得ることができる。それゆえに、システム性能およびエネルギー効率が改善され得る。
【００６４】
５Ｇ／ＮＲなどの無線通信ネットワークでは、サブ６ＧＨｚの周波数帯域と６ＧＨｚ超の周波数帯域の両方の場合について、実際に送信されるＳＳＢを示すために、ＵＥに特有の、全体のビットマップを用いる無線リソース制御（ＲＲＣ）シグナリングが使用され得る。あるいは、サブ６ＧＨｚと６ＧＨｚ超の両方の場合のＲＭＳＩについて、実際に送信されるＳＳＢが示されてもよく、サブ６ＧＨｚの場合には全体のビットマップが使用され、６ＧＨｚ超の場合には、グループビットマップ（８ビット）に加えてグループ内のビットマップ（８ビット）が使用される。
【００６５】
実際に送信されるＳＳＢを示すために、グループビットマップ（８ビット）に加えてグループ内のビットマップ（８ビット）が使用される例示的実施形態では、グループは連続したＳＳＢとして規定される。グループ内のビットマップは、グループの中で実際に送信されるＳＳＢを示すことができる。各グループがＳＳＢ送信の同一パターンを有し得、グループビットマップは実際に送信されるグループを示すことができる。（タイプ２またはタイプ３などの）ＳＳＢとＲＭＳＩの多重化タイプが、周波数範囲２（ＦＲ２）において使用される場合については、ＳＳバーストセットにおけるＳＳＢの最大数は６４である。対応して、ＲＭＳＩにおいて実際に送信されるＳＳＢを示すために、８つのＳＳＢグループおよびそれぞれのＳＳＢグループにおける８つのＳＳＢ候補が規定され得る。任意選択で、ＳＳＢ候補位置のどのサブセットが実際に送信されるＳＳＢを有する指示かは、６ＧＨｚ超の場合には圧縮形式でよい。
【００６６】
ＳＳＢのどのセットが実際に送信されるかを決定するために、ＵＥは、実際に送信されるＳＳＢのビットマップを含有しているＲＭＳＩおよび／またはＲＲＣメッセージを得なければならないことがある。加えて、ＵＥは、ＲＭＳＩおよび／またはＲＲＣメッセージに従ってＳＳバーストセットの周期性も知らなければならないことがある。しかしながら、これは多大な時間を要する可能性がある。たとえば、ＵＥは、ＳＳバーストセットの期間内に、ＳＳバーストセットの周期性を導出するためのＲＭＳＩおよびＲＲＣメッセージを得られない可能性がある。
【００６７】
いくつかの例示的実施形態によれば、ＲＭＳＩ  ＣＯＲＥＳＥＴのＰＤＣＣＨによって搬送されるＤＣＩの中の時間領域リソース割り当ての指示情報は、ＳＳＢ候補位置のどのサブセットが実際に送信されるＳＳＢ（複数可）を有するかを示すために再利用され得る。これによって、ＵＥは、実際に送信されるＳＳＢのビットマップを含有しているＲＭＳＩおよびＲＲＣメッセージを得る前に、ＳＳＢのどのセットが実際に送信されるかを知ることができる。その代わりに、またはそれに加えて、時間領域リソース割り当ての指示情報の少なくとも一部分がＳＳバーストセットの周期性を示すために使用され得、その結果、ＵＥは、ＳＳバーストセットの期間内にＲＭＳＩおよびＲＲＣメッセージからＳＳバーストセット周期性を得ることができない場合にも、１つのＳＳバーストセットの持続時間を知ることができる。
【００６８】
いくつかの例示的実施形態によれば、ＲＭＳＩ  ＣＯＲＥＳＥＴのＰＤＣＣＨのようなチャネルによって搬送されるＤＣＩの時間領域リソース割り当ての指示情報が、送信されない時間領域リソース割り当てと１つまたは複数のＳＳＢの両方を示すために使用され得る。時間領域リソース割り当ては、ＲＭＳＩ  ＣＯＲＥＳＥＴのＰＤＣＣＨによってスケジューリングされるＰＤＳＣＨに適用され得る。時間領域リソース割り当てにより、スケジューリングされたＰＤＳＣＨが他のＲＭＳＩ  ＣＯＲＥＳＥＴ（複数可）とオーバラップし得る。ＰＤＳＣＨとオーバラップするＲＭＳＩ  ＣＯＲＥＳＥＴ（複数可）が異なるＳＳＢに関連づけられ得るので、ＵＥは、オーバラップしたＲＭＳＩ  ＣＯＲＥＳＥＴ（複数可）に関連づけられたＳＳＢは送信されないと想定し得る。したがって、時間領域リソース割り当ての４ビットなど、ＤＣＩの中の時間領域リソース割り当ての指示情報も、送信されない１つまたは複数のＳＳＢの指示として使用され得る。
【００６９】
本開示のいくつかの実施形態は、主として、ある特定の例示的ネットワーク設定およびシステム展開に関する非限定的な例として使用される５ＧまたはＮＲの規格に関連して説明されることが注意される。そのため、本明細書で与えられた例示的実施形態の説明は、特に、これらの規格に直接関連した専門用語を指す。そのような専門用語は、提示された非限定的な例および実施形態の状況でのみ使用され、当然、本開示を多少なりとも制限するものではない。むしろ、本明細書で説明された例示的実施形態が適用可能である限り、その他のシステム設定または無線技術も同様に利用され得る。
【００７０】
図３は、本開示のいくつかの実施形態による方法３００を図示する流れ図である。図３に図示された方法３００は、端末デバイスにおいて実施された装置によって遂行されてよく、端末デバイスに対して通信可能に結合されてもよい。いくつかの例示的実施形態によれば、ＵＥなどの端末デバイスは、ＲＭＳＩ  ＣＯＲＥＳＥＴとオーバラップするようにスケジューリングされたＰＤＳＣＨをサポートすることができる。任意選択で、端末デバイスは、ＳＳＢとＲＭＳＩ  ＣＯＲＥＳＥＴの間の、たとえば図２に示されるような多重化のタイプ１、タイプ２、タイプ３といった様々な多重化タイプをサポートすることができる。本開示のいくつかの実施形態は、たとえば他の異なる信号送信間の多重化タイプといった他の使用事例にも適用され得ることが理解されよう。
【００７１】
図３に図示された例示的方法３００によれば、端末デバイスは、ブロック３０２に示されるように、ネットワークノードから時間領域リソース割り当ての指示情報を受信してよい。いくつかの例示的実施形態によれば、指示情報の少なくとも一部分は、時間領域リソース割り当てと異なる通信設定を少なくとも一部示すことを許容され得る。その代わりに、またはそれに加えて、指示情報の少なくとも一部分が、時間領域リソース割り当てと、送信されない１つまたは複数のＳＳＢなど他の情報の両方に関する通信設定を少なくとも一部示すことを許容され得る。
【００７２】
いくつかの例示的実施形態では、指示情報の少なくとも一部分が、時間領域リソース割り当てを示すこと以外の目的に再利用されるかまたは確保されてよい。任意選択で、いくつかの例示的実施形態では、指示情報の少なくとも一部分が、時間領域リソース割り当てを示すことに加えて他の目的に利用されてよい。
【００７３】
例示的実施形態によれば、指示情報はＤＣＩの一部分として受信され得る。たとえば、ＤＣＩはシステム情報に関する制御リソースセットのチャネルによって搬送され得る。ＤＣＩは、ＲＭＳＩ  ＣＯＲＥＳＥＴのＰＤＣＣＨによって搬送されるＤＣＩまたは他の適切なタイプのＤＣＩを含み得る。たとえば、ＤＣＩは、各種パラメータ、インジケータなどを含有している１つまたは複数のフィールドを有し得る。
【００７４】
例示的実施形態によれば、指示情報の少なくとも一部分は、ＤＣＩの時間領域リソース割り当てフィールドに１つまたは複数のビットを含み得る。指示情報の少なくとも一部分が、他の適切な形態でもＤＣＩに含まれ得ることが理解されよう。たとえば、時間領域リソース割り当てフィールドの中の指示情報の少なくとも一部分が、ＤＣＩの他のフィールドにおける１つまたは複数のビットとともにＤＣＩの新規のフィールドを形成し得る。
【００７５】
例示的実施形態によれば、通信設定は、指示情報の少なくとも一部分およびＤＣＩの中の１つまたは複数の所定のインジケータによって示され得る。たとえば、所定のインジケータは、使用中の、または保存された１つまたは複数のビットまたはコードポイントを含み得る。任意選択で、指示情報の少なくとも一部分が、通信設定を示すために、ＤＣＩにおける１つまたは複数の有効ビットまたは無効ビットと組み合わせて再利用され得る。
【００７６】
図３に図示された例示的方法３００によれば、端末デバイスは、ブロック３０４に示されるように、指示情報に少なくとも一部基づいて通信設定を決定することができる。例示的実施形態によれば、通信設定は同期信号のスケジューリング設定を含み得る。通信設定は、他の可能な送信スケジューリングおよびシステム設定も含み得ることが理解されよう。
【００７７】
例示的実施形態によれば、指示情報の少なくとも一部分が、時間領域リソース割り当ての代わりに通信設定を少なくとも一部示すために再利用または保存され得る。この場合、同期信号のスケジューリング設定は、１つまたは複数の同期信号ブロックのグループ（ＳＳ／ＰＢＣＨブロックのグループなど）であって、これらのグループの各々において、１つまたは複数の同期信号ブロック（ＳＳ／ＰＢＣＨブロックなど）がネットワークノードから端末デバイスに送信される、１つまたは複数の同期信号ブロックのグループと、ネットワークノードから端末デバイスに送信される１つまたは複数の同期信号ブロックと、同期信号バーストセットの周期性とのうち少なくとも１つを示し得る。
【００７８】
例示的実施形態によれば、指示情報の少なくとも一部分が、通信設定と時間領域リソース割り当ての両方を示すために使用され得る。この場合、同期信号スケジューリング設定などの通信設定が、ネットワークノードから端末デバイスに送信されない１つまたは複数の同期信号ブロック（ＳＳ／ＰＢＣＨブロックなど）を示し得る。この例示的実施形態では、時間領域リソース割り当ては、システム情報に関する１つまたは複数の制御リソースセット（ＲＭＳＩ  ＣＯＲＥＳＥＴなど）とオーバラップするチャネル（ＰＤＳＣＨなど）に適用されてよい。システム情報に関するオーバラップした１つまたは複数の制御リソースセットは、送信されない１つまたは複数の同期信号ブロックなどの１つまたは複数の同期信号ブロックに関連づけられてよい。任意選択で、システム情報に関するオーバラップした１つまたは複数の制御リソースセットは、ＰＤＳＣＨなどのチャネルをスケジューリングするＰＤＣＣＨなどのチャネルを含有しているシステム情報に関する制御リソースセットに続く、システム情報に関する少なくとも１つの制御リソースセットを含み得る。
【００７９】
図４Ａは、本開示のいくつかの実施形態による時間領域リソース割り当てビットの再利用の一例を図示する図である。図４Ａは、ＳＳＢとＲＭＳＩ  ＣＯＲＥＳＥＴの間でタイプ２およびタイプ３の多重化が使用されるときのＦＲ２に関するＳＳＢグループを示す。ＳＳＢグループは、ＳＳＢ０、ＳＳＢ１、ＳＳＢ２、ＳＳＢ３、ＳＳＢ４、ＳＳＢ５、ＳＳＢ６およびＳＳＢ７と表される８つの連続したＳＳＢ候補を含有し得る。ＳＳＢ対は、ＳＳＢグループの内部の２つの連続したＳＳＢから成り得る。したがって、図４Ａに示されたＳＳＢグループの内部には、｛ＳＳＢ０，ＳＳＢ１｝、｛ＳＳＢ２，ＳＳＢ３｝、｛ＳＳＢ４，ＳＳＢ５｝および｛ＳＳＢ６，ＳＳＢ７｝と表される４つのＳＳＢ対がある。
【００８０】
この例では、ＤＣＩの時間領域リソース割り当てフィールドにおける４ビット（Ｂ０、Ｂ１、Ｂ２およびＢ３と表される）が、実際に送信される１つまたは複数のＳＳＢがある可能な位置を示すビットマップを規定するために再利用され得る。たとえば、Ｂｉ＝０（ｉ＝０、１、２および３）は、ＳＳＢ対｛ＳＳＢｊ，ＳＳＢｊ＋１｝（ただしｊ＝２×ｉ）における少なくとも１つのＳＳＢが実際に送信されることを意味し、Ｂｉ＝１は、ＳＳＢ対｛ＳＳＢｊ，ＳＳＢｊ＋１｝におけるどちらのＳＳＢも実際には送信されないことを意味する。このようにして、４つの時間領域リソース割り当てビット｛Ｂ０、Ｂ１、Ｂ２、Ｂ３｝は、ＳＳＢグループにおいてどのＳＳＢ対が実際に送信される少なくとも１つのＳＳＢを有するかを示すことができる。図４Ａに示されたＳＳＢ対は単に例示であり、時間領域リソース割り当てビットは２つよりも多くのＳＳＢを含むＳＳＢグループを示すためにも使用され得ることが理解されよう。対応して、どのＳＳＢグループ（複数可）が実際に送信される１つまたは複数のＳＳＢを有するかを示すための時間領域リソース割り当てビットの使用法は、適応的に調節されてよい。
【００８１】
その代わりに、またはそれに加えて、時間領域リソース割り当てビットのうちいくつかまたはすべてが、他の情報を示すためにＤＣＩの他のビットとともに使用されてもよい。たとえば、ＳＳＢグループの中のどのＳＳＢが実際に送信されるかを示すために、時間領域リソース割り当てビットの少なくとも一部分とＤＣＩの他のビットとの組合せが使用され得る。
【００８２】
図４Ｂは、本開示のいくつかの実施形態による時間領域リソース割り当てビットの再利用の別の例を図示する図である。図４Ｂは、表の中に、５ミリ秒、１０ミリ秒、２０ミリ秒、４０ミリ秒、８０ミリ秒および１６０ミリ秒を含むＳＳバーストセットの周期性の６つの可能な値を示すものである。これらの実際の周期性の値は、それぞれ、６つの所定のＳＳＢ周期性の値０、１、２、３、４および５に対応し得る。したがって、ＤＣＩの時間領域リソース割り当てフィールドの３ビットは、６つのＳＳＢ周期性の値を示すために再利用され得る。端末デバイスは、ＳＳバーストセットの期間内にＲＭＳＩおよびＲＲＣメッセージからＳＳバーストセットの周期性を得ることができなくても、３つの時間領域リソース割り当てビットによって１つのＳＳバーストセットの持続時間を知ることができる。
【００８３】
図４Ａ〜図４Ｂにおける時間領域リソース割り当てビットの使用法および対応するセッティングは単に例として示されたものであり、本開示の実施形態によれば、端末デバイスとネットワークノードの間の通信には、様々な代替の使用法およびパラメータセッティングが適用され得ることが理解されよう。
【００８４】
図５は、本開示のいくつかの実施形態による方法５００を図示する流れ図である。図５に図示された方法５００は、ネットワークノードに実装された装置によって遂行されてよく、ネットワークノードに対して通信可能に結合されてもよい。例示的実施形態によれば、ｇＮＢなどのネットワークノードは、ＲＭＳＩ  ＣＯＲＥＳＥＴとオーバラップするようにスケジューリングされたＰＤＳＣＨをサポートすることができる。任意選択で、ネットワークノードは、ＳＳＢとＲＭＳＩ  ＣＯＲＥＳＥＴの間の、たとえば図２に示されるような多重化のタイプ１、タイプ２、タイプ３といった様々な多重化タイプをサポートすることができる。本開示のいくつかの実施形態によれば、ネットワークノードの通信に対して、他の異なる信号送信間の多重化タイプも適用され得ることが理解されよう。
【００８５】
図５に図示された例示的方法５００によれば、ネットワークノードは、ブロック５０２に示されるように、端末デバイス向けの時間領域リソース割り当ての指示情報を決定することができる。いくつかの例示的実施形態によれば、指示情報の少なくとも一部分は、時間領域リソース割り当てと異なる通信設定を少なくとも一部示すことを許容され得る。その代わりに、またはそれに加えて、指示情報の少なくとも一部分が、時間領域リソース割り当てと、送信されない１つまたは複数のＳＳＢなど他の情報の両方に関する通信設定を少なくとも一部示すことを許容され得る。
【００８６】
図３に関連して説明されたように、指示情報の少なくとも一部分が、ネットワークノードから端末デバイスへのＤＣＩの時間領域リソース割り当てフィールドにおける１つまたは複数のビットを含み得る。例示的実施形態では、指示情報はＤＣＩの一部分として送信され得る。たとえば、ＤＣＩはＲＭＳＩ  ＣＯＲＥＳＥＴのＰＤＣＣＨによって搬送され得る。任意選択で、ＤＣＩの時間領域リソース割り当てフィールドにおけるビット数は、ＳＳＢとＲＭＳＩ  ＣＯＲＥＳＥＴの間の様々な多重化タイプに関して同一でも異なってもよい。
【００８７】
いくつかの例示的実施形態によれば、ブロック５０４に示されるように、ネットワークノードは端末デバイスに指示情報を送信してよい。いくつかの例示的実施形態によれば、ネットワークノードは、指示情報を、任意選択で１つまたは複数の他のインジケータおよび／またはパラメータと組み合わせて使用することにより、時間領域リソース割り当てと異なる通信設定を端末デバイスに通知することができる。他の例示的実施形態によれば、ネットワークノードは、指示情報を使用することにより、端末デバイスに、時間領域リソース割り当てに加えて通信設定を通知することができる。通信設定は、同期信号スケジューリング設定および／または他の可能なシステム設定を含み得る。
【００８８】
指示情報の少なくとも一部分が同期信号スケジューリング設定を示すために再利用されるかまたは保存される例示的実施形態によれば、ネットワークノードは、端末デバイスに、実際に送信される１つまたは複数のＳＳ／ＰＢＣＨブロックが各々にある、１つまたは複数のＳＳ／ＰＢＣＨブロックのグループと、実際に送信される１つまたは複数のＳＳ／ＰＢＣＨと、ＳＳバーストセットの周期性とのうち少なくとも１つを通知することができる。任意選択で、ネットワークノードは、より役立つ情報をより短い期間で端末デバイスに供給するように、指示情報の少なくとも一部分を、ＤＣＩの１つまたは複数の所定のインジケータ（ビットおよび／またはコードポイントなど）と組み合わせて、１つまたは複数の通信設定を示してよい。
【００８９】
時間領域リソース割り当てに加えて同期信号スケジューリング設定などの通信設定を示すために指示情報の少なくとも一部分が使用される例示的実施形態によれば、ネットワークノードは、端末デバイスに、ネットワークノードから端末デバイスに送信されない１つまたは複数の同期信号ブロック（ＳＳ／ＰＢＣＨブロックなど）を通知することができる。この例示的実施形態では、１つまたは複数の同期信号ブロックが、時間領域リソース割り当てに関連したチャネル（ＰＤＳＣＨなど）とオーバラップする、システム情報に関する１つまたは複数の制御リソースセット（ＲＭＳＩ  ＣＯＲＥＳＥＴなど）に関連づけられてよい。
【００９０】
本明細書で説明された送信スケジューリングおよびリソース割り当てに関連したパラメータ、変数およびセッティングは、単なる例であることが理解されよう。提案された方法を実施するために、他の適切なネットワークセッティング、関連する設定パラメータおよびその特定の値も適用され得る。
【００９１】
１つまたは複数の例示的実施形態によって提案された解決策により、ネットワークノード（ｇＮＢなど）は、たとえば時間領域リソース割り当ての指示情報といったいくつかの制御情報を利用して、端末デバイス（ＵＥなど）に、ネットワークセッティングおよびスケジューリング設定をより効率的に通知することができるようになる。本開示によって提案された解決策を適用することにより、ＵＥが受信し得る指示情報は、時間領域リソース割り当てとは別の設定を示すために、または時間領域リソース割り当てに加えて使用される。たとえば、ＲＭＳＩが正確に復号される前に、実際に送信されるＳＳＢおよび／またはＳＳＢの周期性がＤＣＩでＵＥに示される場合には、ＵＥの処理時間が短縮され得、ＵＥの電力が節約され得る一方で、ＤＣＩビットの利用効率も改善され得る。時間領域リソース割り当ての指示情報を利用すると、伝送品質およびエネルギー効率を改善するように、ｇＮＢは無線リソースを十分に利用することができ、ＵＥはネットワークサービスへの高速アクセスが可能になることが分かる。
【００９２】
図３および図５に示される様々なブロックは、方法のステップ、および／またはコンピュータプログラムコードの動作に由来する動作、および／または関連する機能（複数可）を実行するように構築された複数の結合された論理回路素子と見なされ得る。前述の概略流れ図は、一般に論理流れ図と明記される。そのため、表現された順番およびラベル付きのステップは、提示された方法の特定の実施形態を表す。図示された方法の１つまたは複数のステップまたはその一部分に対して、機能、論理または効果において等しい他のステップおよび方法が考えられ得る。加えて、特別な方法が起こる順番は、示された対応するステップの順番に厳密に付随しても付随しなくてもよい。
【００９３】
図６は、本開示の様々な実施形態による装置６００を図示するブロック図である。図６に示されるように、装置６００は、プロセッサ６０１などの１つまたは複数のプロセッサと、コンピュータプログラムコード６０３を記憶するメモリ６０２などの１つまたは複数のメモリとを備え得る。メモリ６０２は、非一時的なマシン可読／プロセッサ可読／コンピュータ可読の記憶媒体でよい。いくつかの例示的実施形態によれば、装置６００は、図３に関して説明されたような端末デバイスまたは図５に関して説明されたようなネットワークノードに差し込むかまたはインストールすることができる集積回路のチップまたはモジュールとして実施され得る。
【００９４】
いくつかの実装形態では、１つまたは複数のメモリ６０２およびコンピュータプログラムコード６０３は、１つまたは複数のプロセッサ６０１を用いて、装置６００に、図３に関連して説明されたような方法の少なくともいずれかの動作を遂行させるように設定され得る。他の実装形態では、１つまたは複数のメモリ６０２およびコンピュータプログラムコード６０３は、１つまたは複数のプロセッサ６０１を用いて、装置６００に、図５に関連して説明されたような方法の少なくともいずれかの動作を遂行させるように設定され得る。
【００９５】
その代わりに、またはそれに加えて、１つまたは複数のメモリ６０２およびコンピュータプログラムコード６０３は、１つまたは複数のプロセッサ６０１を用いて、装置６００に、本開示の例示的実施形態によって提案された方法を実施するための少なくとも多少の動作を遂行させるように設定され得る。
【００９６】
図７は、本開示のいくつかの実施形態による装置７００を図示するブロック図である。図７に示されるように、装置７００は受信ユニット７０１および決定ユニット７０２を備え得る。例示的実施形態では、装置７００はＵＥなどの端末デバイスにおいて実施され得る。受信ユニット７０１はブロック３０２の動作を実施するように動作可能であり得、決定ユニット７０２はブロック３０４の動作を実施するように動作可能であり得る。任意選択で、受信ユニット７０１および／または決定ユニット７０２は、本開示の例示的実施形態によって提案された方法を実施するための多少の動作を実施するように動作可能であり得る。
【００９７】
図８は、本開示のいくつかの実施形態による装置８００を図示するブロック図である。図８に示されるように、装置８００は決定ユニット８０１および送信ユニット８０２を備え得る。例示的実施形態では、装置８００はｇＮＢなどのネットワークノードにおいて実施され得る。決定ユニット８０１はブロック５０２の動作を実施するように動作可能であり得、送信ユニット８０２はブロック５０４の動作を実施するように動作可能であり得る。任意選択で、決定ユニット８０１および／または送信ユニット８０２は、本開示の例示的実施形態によって提案された方法を実施するための多少の動作を実施するように動作可能であり得る。
【００９８】
図９は、本開示のいくつかの実施形態に従って、中間ネットワークを介してホストコンピュータに接続された電気通信ネットワークを図示するブロック図である。
【００９９】
図９を参照して、一実施形態によれば、通信システムが含む３ＧＰＰタイプのセルラーネットワークなどの電気通信ネットワーク９１０は、無線アクセスネットワークなどのアクセスネットワーク９１１およびコアネットワーク９１４を備える。アクセスネットワーク９１１には、ＮＢ、ｅＮＢ、ｇＮＢなどの複数の基地局９１２ａ、９１２ｂ、９１２ｃまたは他のタイプの無線アクセスポイントが含まれ、それぞれが、対応するカバレッジエリア９１３ａ、９１３ｂ、９１３ｃを規定する。各基地局９１２ａ、９１２ｂ、９１２ｃは、有線または無線の接続９１５を通じてコアネットワーク９１４に接続可能である。カバレッジエリア９１３ｃに配置された第１のＵＥ  ９９１は、対応する基地局９１２ｃに無線で接続するかまたは基地局９１２ｃによってページングされるように設定されている。カバレッジエリア９１３ａにおける第２のＵＥ  ９９２は、対応する基地局９１２ａに無線で接続可能である。この例では複数のＵＥ  ９９１、９９２が図示されているが、開示された実施形態は、カバレッジエリアにＵＥが単独である状況や、単独のＵＥが対応する基地局９１２に接続されている状況にも同様に適用可能である。
【０１００】
電気通信ネットワーク９１０自体がホストコンピュータ９３０に接続されており、このことは、ハードウェアおよび／またはスタンドアロンのサーバ、クラウドで実施されたサーバ、分散型サーバのソフトウェア、もしくはサーバファームにおける処理リソースとして具現され得る。ホストコンピュータ９３０は、サービスプロバイダに所有されるかもしくは制御されてよく、またはサービスプロバイダによって、もしくはサービスプロバイダのために運営されてよい。電気通信ネットワーク９１０とホストコンピュータ９３０の間の接続９２１および９２２は、コアネットワーク９１４からホストコンピュータ９３０に直接届いてよく、または任意選択の中間ネットワーク９２０を介してもよい。中間ネットワーク９２０は、パブリックネットワーク、プライベートネットワーク、ホスティングされたネットワークのうち１つでよく、または２つ以上の組合せでもよく、存在する場合には、バックボーンネットワークまたはインターネットでよく、詳細には、中間ネットワーク９２０は２つ以上のサブネットワーク（図示せず）を備え得る。
【０１０１】
全体としての図９の通信システムにより、接続されたＵＥ  ９９１、９９２とホストコンピュータ９３０の間の接続が可能になる。接続はオーバーザトップ（ＯＴＴ）接続９５０として説明され得る。ホストコンピュータ９３０および接続されたＵＥ  ９９１、９９２は、仲介物としてアクセスネットワーク９１１、コアネットワーク９１４、任意の中間ネットワーク９２０および可能なさらなるインフラストラクチュア（図示せず）を使用して、ＯＴＴ接続９５０を通じてデータおよび／またはシグナリングを通信するように設定されている。ＯＴＴ接続９５０は、ＯＴＴ接続９５０を通す、関与する通信デバイスが、アップリンク通信やダウンリンク通信のルーティングを認識しないという意味で透過的であり得る。たとえば、基地局９１２は、接続されたＵＥ  ９９１に転送される（たとえばハンドオーバされる）、ホストコンピュータ９３０由来のデータを伴う入来ダウンリンク通信の過去のルーティングに関して通知されなくてよく、通知される必要もない。同様に、基地局９１２は、ＵＥ  ９９１由来の出力の、ホストコンピュータ９３０へのアップリンク通信の将来のルーティングを認識する必要はない。
【０１０２】
図１０は、本開示のいくつかの実施形態に従って、部分的無線接続を通じて基地局を介してＵＥと通信するホストコンピュータを図示するブロック図である。
【０１０３】
次に、前節で論じられた一実施形態によるＵＥ、基地局、およびホストコンピュータの例示の実装形態が、図１０を参照しながら説明される。通信システム１０００において、ホストコンピュータ１０１０が備えるハードウェア１０１５に含まれる通信インターフェース１０１６は、通信システム１０００の別々の通信デバイスのインターフェースとの有線または無線の接続をセットアップして維持するように設定されている。ホストコンピュータ１０１０がさらに備える処理サーキットリ１０１８は、記憶能力および／または処理能力を有し得る。詳細には、処理サーキットリ１０１８は、命令を実行するように適合された１つまたは複数のプログラマブルプロセッサ、特定用途向け集積回路、フィールドプログラマブルゲートアレイまたはこれらの組合せ（図示せず）を備え得る。ホストコンピュータ１０１０がさらに含むソフトウェア１０１１は、ホストコンピュータ１０１０に記憶される、またはアクセスが可能であり、処理サーキットリ１０１８によって実行可能である。ソフトウェア１０１１はホストアプリケーション１０１２を含む。ホストアプリケーション１０１２は、ＵＥ  １０３０およびホストコンピュータ１０１０において終結するＯＴＴ接続１０５０を介して接続するＵＥ  １０３０などのリモートユーザにサービスを提供するように動作可能であり得る。リモートユーザにサービスを提供する際に、ホストアプリケーション１０１２は、ＯＴＴ接続１０５０を使用して送信されるユーザデータを供給してよい。
【０１０４】
通信システム１０００がさらに含む基地局１０２０は、電気通信システムに設けられており、ホストコンピュータ１０１０およびＵＥ  １０３０との通信を可能にするハードウェア１０２５を備える。ハードウェア１０２５は、通信システム１０００の異なる通信デバイスのインターフェースとの有線または無線の接続をセットアップして維持するための通信インターフェース１０２６、ならびに、基地局１０２０によってサーブされるカバレッジエリア（図１０には示されていない）にあるＵＥ  １０３０との少なくとも無線接続１０７０をセットアップして維持するための無線インターフェース１０２７を含み得る。通信インターフェース１０２６は、ホストコンピュータ１０１０に対する接続１０６０を容易にするように設定されてよい。接続１０６０は直接的でよく、あるいは、電気通信システムのコアネットワーク（図１０には示されていない）および／または電気通信システムの外部の１つまたは複数の中間のネットワークを介してもよい。示された実施形態では、基地局１０２０のハードウェア１０２５がさらに含む処理サーキットリ１０２８は、命令を実行するように適合された１つまたは複数のプログラマブルプロセッサ、特定用途向け集積回路、フィールドプログラマブルゲートアレイまたはこれらの組合せ（図示せず）を備え得る。基地局１０２０がさらに有するソフトウェア１０２１は、内部に記憶されるかまたは外部接続を介してアクセスされ得る。
【０１０５】
通信システム１０００は、既に言及されたＵＥ  １０３０をさらに備える。ＵＥ  １３３０のハードウェア１０３５が含み得る無線インターフェース１０３７は、ＵＥ  １０３０が今のところ位置するカバレッジエリアにサーブしている基地局との無線接続１０７０をセットアップして維持するように設定されている。ＵＥ  １０３０のハードウェア１０３５がさらに含む処理サーキットリ１０３８は、命令を実行するように適合された１つまたは複数のプログラマブルプロセッサ、特定用途向け集積回路、フィールドプログラマブルゲートアレイまたはこれらの組合せ（図示せず）を備え得る。ＵＥ１０３０がさらに含むソフトウェア１０３１は、ＵＥ  １０３０に記憶される、またはアクセスが可能であり、処理サーキットリ１０３８によって実行可能である。ソフトウェア１０３１はクライアントアプリケーション１０３２を含む。クライアントアプリケーション１０３２は、ホストコンピュータ１０１０の支援の下に、ＵＥ  １０３０を介して、人間または人間以外のユーザにサービスを提供するように動作可能であり得る。ホストコンピュータ１０１０において実行中のホストアプリケーション１０１２は、ＵＥ  １０３０およびホストコンピュータ１０１０において終結するＯＴＴ接続１０５０を介して、実行中のクライアントアプリケーション１０３２と通信し得る。クライアントアプリケーション１０３２は、ユーザにサービスを提供する際に、ホストアプリケーション１０１２から要求データを受信し、要求データに応答してユーザデータを供給してよい。ＯＴＴ接続１０５０は、要求データとユーザデータの両方を転送し得る。クライアントアプリケーション１０３２は、ユーザと相互作用して、供給するユーザデータを生成し得る。
【０１０６】
図１０に図示されたホストコンピュータ１０１０、基地局１０２０およびＵＥ  １０３０は、それぞれ図９のホストコンピュータ９３０、基地局９１２ａ、９１２ｂ、９１２ｃのうち１つ、およびＵＥ  ９９１および９９２のうち１つに類似のものまたは同一のものでよいことが注意される。つまり、これらのエンティティの内部作用は図１０に示された通りでよく、独立して、周囲のネットワークトポロジは図９のものでよい。
【０１０７】
図１０において、ＯＴＴ接続１０５０は、基地局１０２０を介したホストコンピュータ１０１０とＵＥ  １０３０の間の通信を、いかなる中間デバイスも、これらのデバイスを介したメッセージの正確なルーティングも、明示的に参照することなく抽象的に図示するものである。ネットワークインフラストラクチャは、ネットワークインフラストラクチャの設定が、ＵＥ  １０３０、もしくはホストコンピュータ１０１０を運営するサービスプロバイダ、または両方から隠すべきルーティングを決定してよい。ＯＴＴ接続１０５０がアクティブである間に、ネットワークインフラストラクチャは（たとえばネットワークのロードバランシングの検討または再設定を基に）ルーティングを動的に変更することをさらに裁定してよい。
【０１０８】
ＵＥ  １０３０と基地局１０２０の間の無線接続１０７０は、本開示の全体にわたって説明された実施形態の教示に従うものである。様々な実施形態のうち１つまたは複数が、最後のセグメントが無線接続１０７０で形成されているＯＴＴ接続１０５０を使用してＵＥ  １０３０に提供されるＯＴＴサービスの性能を改善する。より正確には、これらの実施形態の教示がレイテンシおよび電力消費を改善し得、それによって、複雑さの低下、セルにアクセスするのに必要な時間の短縮、より優れた応答性、バッテリー寿命の延長などの利点をもたらす。
【０１０９】
データレート、レイテンシならびに１つまたは複数の実施形態を改善する他の要因を監視するための測定プロシージャが提供され得る。測定結果の変化に応答してホストコンピュータ１０１０とＵＥ  １０３０の間のＯＴＴ接続１０５０を再設定するための任意選択のネットワーク機能がさらにあってよい。ＯＴＴ接続１０５０を再設定するための測定プロシージャおよび／またはネットワーク機能は、ホストコンピュータ１０１０のソフトウェア１０１１およびハードウェア１０１５、またはＵＥ  １０３０のソフトウェア１０３１およびハードウェア１０３５、あるいは両方で実施されてよい。実施形態では、センサ（図示せず）が、ＯＴＴ接続１０５０を通す通信デバイスの中に、または同デバイスに関連して配備されてよく、センサは、上記の例の監視された量の値または他の物理量の値を供給することよって測定プロシージャに関与してよく、ソフトウェア１０１１、１０３１は、これらの値から、監視された量を計算するかまたは推定してよい。ＯＴＴ接続１０５０の再設定は、メッセージフォーマット、再送信セッティング、望ましいルーティングなどを含み得、再設定は、基地局１０２０に影響を及ぼす必要はなく、基地局１０２０にとって未知のものまたは感知できないものでよい。そのようなプロシージャおよび機能性は、当技術において既知の実施され得るものである。ある特定の実施形態では、測定は専用のＵＥシグナリングを包含し得、ホストコンピュータ１０１０の測定のスループット、伝播時間、レイテンシおよび同類のものを助長する。実施され得る測定では、ソフトウェア１０１１および１０３１が、伝播時間、誤差などを監視しながら、ＯＴＴ接続１０５０を使用して、メッセージ、詳細には空すなわち「ダミー」のメッセージを送信する。
【０１１０】
図１１は、一実施形態による、通信システムにおいて実施される方法を図示する流れ図である。通信システムに含まれるホストコンピュータ、基地局およびＵＥは、図９および図１０を参照しながら説明されたものでよい。本開示の簡単さのために、この段落で参照されるのは図１１のみである。ステップ１１１０において、ホストコンピュータはユーザデータを供給する。ステップ１１１０の（任意選択であり得る）サブステップ１１１１において、ホストコンピュータはホストアプリケーションを実行することによってユーザデータを供給する。ステップ１１２０において、ホストコンピュータは、ユーザデータをＵＥに搬送する送信を開始する。本開示の全体にわたって説明された実施形態の教示に従って、（任意選択であり得る）ステップ１１３０において、基地局は、ホストコンピュータが開始した送信において搬送されたユーザデータをＵＥに送信する。ステップ１１４０（これも任意選択であり得る）において、ＵＥは、ホストコンピュータによって実行されるホストアプリケーションに関連したクライアントアプリケーションを実行する。
【０１１１】
図１２は、一実施形態による、通信システムにおいて実施される方法を図示する流れ図である。通信システムに含まれるホストコンピュータ、基地局およびＵＥは、図９および図１０を参照しながら説明されたものでよい。本開示の簡単さのために、この段落で参照されるのは図１２のみである。この方法のステップ１２１０において、ホストコンピュータはユーザデータを供給する。任意選択のサブステップ（図示せず）において、ホストコンピュータは、ホストアプリケーションを実行することによってユーザデータを供給する。ステップ１２２０において、ホストコンピュータは、ユーザデータをＵＥに搬送する送信を開始する。送信は、本開示を通じて説明された実施形態の教示に従って、基地局を介したものでよい。（任意選択であり得る）ステップ１２３０において、ＵＥは送信によって搬送されたユーザデータを受信する。
【０１１２】
図１３は、一実施形態による、通信システムにおいて実施される方法を図示する流れ図である。通信システムに含まれるホストコンピュータ、基地局およびＵＥは、図９および図１０を参照しながら説明されたものでよい。本開示の簡単さのために、この段落で参照されるのは図１３のみである。（任意選択であり得る）ステップ１３１０において、ＵＥはホストコンピュータによって供給された入力データを受信する。それに加えて、またはその代わりに、ＵＥは、ステップ１３２０においてユーザデータを供給する。ステップ１３２０の（任意選択であり得る）サブステップ１３２１において、ＵＥはクライアントアプリケーションを実行することによってユーザデータを供給する。ステップ１３１０の（任意選択であり得る）サブステップ１３１１において、ＵＥは、ホストコンピュータによって供給された受信入力データに反応してユーザデータを供給するクライアントアプリケーションを実行する。実行されるクライアントアプリケーションは、ユーザデータを供給するとき、ユーザから受け取ったユーザ入力をさらに考慮に入れてよい。ユーザデータが供給された特定のやり方に関係なく、ＵＥは、（任意選択であり得る）サブステップ１３３０において、ホストコンピュータへのユーザデータの送信を開始する。この方法のステップ１３４０において、ホストコンピュータは、本開示の全体にわたって説明された実施形態の教示に従って、ＵＥから送信されたユーザデータを受信する。
【０１１３】
図１４は、一実施形態による、通信システムにおいて実施される方法を図示する流れ図である。通信システムに含まれるホストコンピュータ、基地局およびＵＥは、図９および図１０を参照しながら説明されたものでよい。本開示の簡単さのために、この段落で参照されるのは図１４のみである。（任意選択であり得る）ステップ１４１０において、基地局は、本開示の全体にわたって説明された実施形態の教示に従って、ＵＥからユーザデータを受信する。（任意選択であり得る）ステップ１４２０において、基地局は、受信したユーザデータのホストコンピュータへの送信を開始する。（任意選択であり得る）ステップ１４３０において、ホストコンピュータは、基地局が開始した送信によって搬送されたユーザデータを受信する。
【０１１４】
一般に、様々な例示的実施形態は、ハードウェアもしくは専用チップ、回路、ソフトウェア、ロジックまたはこれらの任意の組合せで実施され得る。たとえば、いくつかの態様はハードウェアで実施され得、他の態様は、コントローラ、マイクロプロセッサまたは他のコンピューティングデバイスによって実行され得るファームウェアまたはソフトウェアで実施され得るが、本開示はこれらに限定されない。本開示の例示的実施形態の様々な態様が、ブロック図、流れ図、またはいくつかの他の図的表現を使用して図示されかつ説明され得るが、本明細書で説明されたこれらのブロック、装置、システム、技術または方法が、非限定的な例として、ハードウェア、ソフトウェア、ファームウェア、専用の回路もしくはロジック、汎用のハードウェアもしくはコントローラもしくは他のコンピューティングデバイス、またはこれらのうちいくつかの組合せとして実施され得ることが十分に理解される。
【０１１５】
そのため、本開示の例示的実施形態のうち少なくともいくつかの態様が、集積回路のチップおよびモジュールなどの様々な構成要素で実施され得ることを理解されたい。したがって、本開示の例示的実施形態は、本開示の例示的実施形態に従って動作するように設定可能なデータプロセッサ、デジタル信号プロセッサ、ベースバンドサーキットリおよび無線周波数サーキットリのうち少なくとも１つまたは複数を具現するためのサーキットリ（ならびに、場合によりファームウェア）を備え得る集積回路として具現される装置で実現され得ることを理解されたい。
【０１１６】
本開示の例示的実施形態の少なくともいくつかの態様は、１つまたは複数のコンピュータまたは他のデバイスによって実行される１つまたは複数のプログラムモジュールなどにおけるコンピュータ実行可能命令で具現され得ることを理解されたい。一般に、は、プログラムモジュールは、コンピュータまたは他のデバイスのプロセッサによって実行されると、特別なタスクを遂行するかまたは特別な抽象データタイプを実施するルーチン、プログラム、オブジェクト、コンポーネント、データ構造などを含む。コンピュータ実行可能命令は、ハードディスク、光ディスク、取外し可能記憶媒体、ソリッドステートメモリ、ランダムアクセスメモリ（ＲＡＭ）などのコンピュータ可読媒体に記憶され得る。当業者には理解されるように、プログラムモジュールの機能は、様々な実施形態で望まれるような組合せまたは分散が可能である。加えて、この機能は、全体または一部が、集積回路、フィールドプログラマブルゲートアレイ（ＦＰＧＡ）等のファームウェアまたはハードウェアの等価物で具現され得る。
【０１１７】
本開示は、本明細書で開示された任意の斬新な特徴または特徴の組合せを、明示的に、または何らかの一般化をして含む。当業者には、本開示の前述の例示的実施形態に対する様々な修正形態および改作が、前述の説明を考慮して、添付の図面とともに読み取られたとき、明らかになり得る。しかしながら、任意のおよびあらゆる修正形態が、依然として本開示の非限定的な例示的実施形態の範囲に含まれることになる。
【図１Ａ】
2021519016.tif 000007
【図１Ｂ】
2021519016.tif 000008
【図２】
2021519016.tif 000009
【図３】
2021519016.tif 000010
【図４Ａ】
2021519016.tif 000011
【図４Ｂ】
2021519016.tif 000012
【図５】
2021519016.tif 000013
【図６】
2021519016.tif 000014
【図７】
2021519016.tif 000015
【図８】
2021519016.tif 000016
【図９】
2021519016.tif 000017
【図１０】
2021519016.tif 000018
【図１１】
2021519016.tif 000019
【図１２】
2021519016.tif 000020
【図１３】
2021519016.tif 000021
【図１４】
2021519016.tif 000022
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
端末デバイスにおいて実施される方法（３００）であって、
ネットワークノードから時間領域リソース割り当ての指示情報を受信すること（３０２）であって、前記指示情報の少なくとも一部分が、前記時間領域リソース割り当てと異なる通信設定を少なくとも一部示すことを許容される、指示情報を受信すること（３０２）と、
前記指示情報に少なくとも一部基づいて前記端末デバイスに関する前記通信設定を決定すること（３０４）とを含む方法。
【請求項２】
前記通信設定が同期信号のスケジューリング設定を含む、請求項１に記載の方法。
【請求項３】
前記指示情報の少なくとも一部分が前記通信設定を少なくとも一部示すために保存される、請求項２に記載の方法。
【請求項４】
前記同期信号のスケジューリング設定が、
１つまたは複数の同期信号ブロックのグループであって、前記グループの各々において、１つまたは複数の同期信号ブロックが前記ネットワークノードから前記端末デバイスに送信される、１つまたは複数の同期信号ブロックのグループと、
前記ネットワークノードから前記端末デバイスに送信される１つまたは複数の同期信号ブロックと、
同期信号バーストセットの周期性とのうち少なくとも１つを示す、請求項３に記載の方法。
【請求項５】
前記指示情報の前記少なくとも一部分が前記通信設定および前記時間領域リソース割り当てを示すために使用される、請求項１に記載の方法。
【請求項６】
前記通信設定が、前記ネットワークノードから前記端末デバイスに送信されない１つまたは複数の同期信号ブロックを示す、請求項１に記載の方法。
【請求項７】
前記時間領域リソース割り当てが、システム情報に関する１つまたは複数の制御リソースセットとオーバラップするチャネルに適用され、前記オーバラップされる、システム情報に関する１つまたは複数の制御リソースセットが、１つまたは複数の同期信号ブロックに関連づけられる、請求項１に記載の方法。
【請求項８】
前記指示情報がダウンリンク制御情報の一部分として受信される、請求項１から７のいずれか一項に記載の方法。
【請求項９】
前記指示情報の少なくとも一部分が、前記ダウンリンク制御情報の時間領域リソース割り当てフィールドに１つまたは複数のビットを含む、請求項８に記載の方法。
【請求項１０】
前記通信設定が、前記指示情報の少なくとも一部分および前記ダウンリンク制御情報の１つまたは複数の所定のインジケータによって示される、請求項８または９に記載の方法。
【請求項１１】
端末デバイスに実装される装置（６００）であって、
１つまたは複数のプロセッサ（６０１）と、
コンピュータプログラムコード（６０３）を含む１つまたは複数のメモリ（６０２）とを備え、
前記１つまたは複数のメモリ（６０２）および前記コンピュータプログラムコード（６０３）が、前記１つまたは複数のプロセッサ（６０１）を用いて、前記装置（６００）に、少なくとも、
ネットワークノードから時間領域リソース割り当ての指示情報を受信することであって、前記指示情報の少なくとも一部分が、前記時間領域リソース割り当てと異なる通信設定を少なくとも一部示すことを許容される、指示情報を受信することと、
前記指示情報に少なくとも一部基づいて前記端末デバイスに関する前記通信設定を決定することとを行わせるように設定されている、装置。
【請求項１２】
前記１つまたは複数のメモリおよび前記コンピュータプログラムコードが、前記１つまたは複数のプロセッサを用いて、前記装置に、請求項２から１０のいずれか一項に記載の方法を遂行させるように設定されている、請求項１１に記載の装置。
【請求項１３】
ネットワークノードにおいて実施される方法（５００）であって、
端末デバイスに対する時間領域リソース割り当ての指示情報を決定すること（５０２）であって、前記指示情報の少なくとも一部分が、前記時間領域リソース割り当てと異なる通信設定を少なくとも一部示すことを許容される、指示情報を決定すること（５０２）と、
前記指示情報を前記端末デバイスに送信すること（５０４）とを含む方法。
【請求項１４】
前記指示情報の前記少なくとも一部分が前記通信設定および前記時間領域リソース割り当てを示すために使用される、請求項１３に記載の方法。
【請求項１５】
前記時間領域リソース割り当てが、システム情報に関する１つまたは複数の制御リソースセットとオーバラップするチャネルに適用され、前記オーバラップされる、システム情報に関する１つまたは複数の制御リソースセットが、１つまたは複数の同期信号ブロックに関連づけられる、請求項１３に記載の方法。
【請求項１６】
前記指示情報の前記少なくとも一部分が、ダウンリンク制御情報の時間領域リソース割り当てフィールドに１つまたは複数のビットを含む、請求項１３から１５のいずれか一項に記載の方法。
【請求項１７】
ネットワークノードに実装される装置（６００）であって、
１つまたは複数のプロセッサ（６０１）と、
コンピュータプログラムコード（６０３）を含む１つまたは複数のメモリ（６０２）とを備え、前記１つまたは複数のメモリ（６０２）および前記コンピュータプログラムコード（６０３）が、前記１つまたは複数のプロセッサ（６０１）を用いて、前記装置（６００）に、少なくとも、
端末デバイスに対する時間領域リソース割り当ての指示情報を決定することであって、前記指示情報の少なくとも一部分が、前記時間領域リソース割り当てと異なる通信設定を少なくとも一部示すことを許容される、指示情報を決定することと、
前記指示情報を前記端末デバイスに送信することとを行わせるように設定されている、装置。
【請求項１８】
前記１つまたは複数のメモリおよび前記コンピュータプログラムコードが、前記１つまたは複数のプロセッサを用いて、前記装置に、請求項１４から１６のいずれか一項に記載の方法を遂行させるように設定されている、請求項１７に記載の装置。
【請求項１９】
端末デバイスにおいて実施される方法であって、
ネットワークノードから時間領域リソース割り当ての指示情報を受信することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を受信することと、
前記指示情報に少なくとも一部基づいて前記端末デバイスに関する通信設定を決定することとを含む方法。
【請求項２０】
ネットワークノードにおいて実施される方法であって、
端末デバイスに対する時間領域リソース割り当ての指示情報を決定することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を決定することと、
前記指示情報を前記端末デバイスに送信することとを含む方法。
【請求項２１】
端末デバイスに実装される装置（６００）であって、
１つまたは複数のプロセッサ（６０１）と、
コンピュータプログラムコード（６０３）を含む１つまたは複数のメモリ（６０２）とを備え、
前記１つまたは複数のメモリ（６０２）および前記コンピュータプログラムコード（６０３）が、前記１つまたは複数のプロセッサ（６０１）を用いて、前記装置（６００）に、少なくとも、
ネットワークノードから時間領域リソース割り当ての指示情報を受信することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を受信することと、
前記指示情報に少なくとも一部基づいて前記端末デバイスに関する通信設定を決定することとを行わせるように設定されている、装置。
【請求項２２】
ネットワークノードに実装される装置（６００）であって、
１つまたは複数のプロセッサ（６０１）と、
コンピュータプログラムコード（６０３）を含む１つまたは複数のメモリ（６０２）とを備え、
前記１つまたは複数のメモリ（６０２）および前記コンピュータプログラムコード（６０３）が、前記１つまたは複数のプロセッサ（６０１）を用いて、前記装置（６００）に、少なくとも、
端末デバイスに対する時間領域リソース割り当ての指示情報を決定することであって、前記指示情報の少なくとも一部分が、前記時間領域リソース割り当てと異なる通信設定を少なくとも一部示すことまたは前記時間領域リソース割り当てと他の情報の両方に関する通信設定を示すことを許容される、指示情報を決定することと、
前記指示情報を前記端末デバイスに送信することとを行わせるように設定されている、装置。
【国際調査報告】
2021519016.tif 000023
2021519016.tif 000024